(57)【要約】【課題】  アップリンク圧縮モードを考慮してＡＣＫ／ＮＡＣＫ信号を送信する方法を提供すること。【解決手段】  移動通信システムにおいて、端末機（ＵＥ）が基地局（Ｎｏｄｅ Ｂ）と隣接するＮｏｄｅ Ｂを通してハンドオーバーを遂行する場合に発生する送信断絶（ＴＧ）区間によって、アップリックを介して送信されたパケットデータの送信遅延を防止する方法を提供する。Ｎｏｄｅ Ｂは、複数のサブフレームを介してパケットデータをＵＥへ順次に送信し、ＵＥは、ＴＧ区間の間に送信遅延したパケットデータに対する応答信号をＴＧ区間の後にアップリンク専用物理制御チャンネル（ＤＰＣＣＨ）のサブフレームを介してＮｏｄｅ Ｂへ送信する。【選択図】  図２
2005229628.tif 000002
【特許請求の範囲】
【請求項１】
移動通信システムにおいて、端末機（ＵＥ）が基地局（Ｎｏｄｅ Ｂ）と隣接したＮｏｄｅ Ｂとを通してハンドオーバーを遂行する場合に発生する送信断絶（ＴＧ）区間によって、アップリックを介して送信されたパケットデータの送信遅延を防止する方法であって、
複数のサブフレームを介してパケットデータを端末機へ順次に送信するステップと、
前記端末機が前記送信断絶区間の間に前記送信遅延したパケットデータに対する応答信号を前記ＴＧ区間の後にアップリンク専用物理制御チャンネル（ＤＰＣＣＨ）のサブフレームを介して基地局へ送信するステップと、
から構成されることを特徴とする方法。
【請求項２】
前記ＴＧ区間の後にアップリンク専用物理制御チャンネル（ＤＰＣＣＨ）のサブフレームでの肯定（ＡＣＫ）／否定（ＮＡＣＫ）フィールドを介して前記伝送遅延したパケットデータに対する応答情報を送信するステップをさらに含むことを特徴とする請求項１記載の方法。
【請求項３】
前記ＴＧ区間の後に、前記アップリンク専用物理制御チャンネル（ＤＰＣＣＨ）のサブフレームでのＡＣＫ／ＮＡＣＫフィールドを介して前記送信遅延したパケットデータに対する応答情報を送信するステップをさらに含むことを特徴とする請求項１記載の方法。
【請求項４】
前記ＴＧ区間の後に、前記アップリンク専用物理制御チャンネルのサブフレームでのＡＣＫ／ＮＡＣＫフィールドを介して前記送信遅延したパケットデータに対する応答信号の反復符号化を順次に遂行し、前記符号化された応答信号を送信するステップをさらに含むことを特徴とする請求項１記載の方法。
【請求項５】
前記ＴＧ区間の後に、前記アップリンク専用物理制御チャンネル（ＤＰＣＣＨ）のサブフレームでのチャンネル品質指示（ＣＱＩ）フィールドを通して、前記送信遅延したパケットデータに対する応答信号を送信するステップをさらに含むことを特徴とする請求項１記載の方法。
【請求項６】
前記ＴＧ区間の後に、前記アップリンク専用物理制御チャンネル（ＤＰＣＣＨ）のサブフレームでのチャンネル品質指示（ＣＱＩ）フィールドを通して、前記送信遅延したパケットデータに対する応答信号の反復符号化を遂行し、前記符号化された応答信号を不連続送信（ＤＴＸ）するステップをさらに含むことを特徴とする請求項１記載の方法。
【請求項７】
前記ＴＧ区間の後に、前記アップリンク専用物理制御チャンネルのサブフレームの全体を介して前記送信遅延したパケットデータに対する応答信号を順次に送信するステップをさらに含むことを特徴とする請求項１記載の方法。
【請求項８】
前記端末機は、前記ＴＧ区間の後に前記アップリンク専用物理制御チャンネルのサブフレームを通して前記送信遅延したパケットデータに対する応答信号の反復符号化を遂行し、不連続送信（ＤＴＸ）するステップをさらに含むことを特徴とする請求項１記載の方法。
【請求項９】
移動通信システムにおいて、データを送信する方法は、
第２の送受信器で第１の送受信器からパケットデータを受信するステップと、
前記受信されたパケットデータにエラーがあるか否かに従って、肯定／否定（ＡＣＫ／ＮＡＣＫ）情報を生成するステップと、
前記生成されたＡＣＫ／ＮＡＣＫ情報と共に送信断絶区間の間に送信遅延したＡＣＫ／ＮＡＣＫ情報を第１の送受信器へ送信するステップと
を含むことを特徴とする方法。
【請求項１０】
前記第１の送受信器は、前記送信断絶区間の後の送信フレームを通して、前記送信遅延したＡＣＫ／ＮＡＣＫ情報を送信することを特徴とする請求項９記載の方法。
【請求項１１】
前記第２の送受信器は、前記送信遅延したＡＣＫ／ＮＡＣＫ情報を示す値を送信することを特徴とする請求項９記載の方法。
【請求項１２】
移動通信システムにおいてデータを送信する送受信器であって、
パケットデータを送信して受信する送受信器の構成と、
前記受信されたパケットデータにエラーがあるか否かに従って、肯定／否定(ＡＣＫ／ＮＡＣＫ)情報を生成する送受信器の構成と、
前記生成されたＡＣＫ／ＮＡＣＫ情報と共に、ＴＧ区間の間に送信遅延したＡＣＫ／ＮＡＣＫ情報を送信する送受信器の構成と、
を含むことを特徴とする送受信器。
【請求項１３】
前記ＴＧ区間の後の送信フレームを通して、前記送信遅延したＡＣＫ／ＮＡＣＫ情報を送信する送受信器の構成をさらに含むことを特徴とする請求項１２記載の送受信器。
【請求項１４】
前記送信遅延したＡＣＫ／ＮＡＣＫ情報を示す値をさらに送信することを特徴とする請求項１２記載の送受信器。
【発明の詳細な説明】
【技術分野】
【０００１】
本発明は、高速ダウンリンクパケットアクセス（High Speed Downlink Packet Access；以下、‘ＨＳＤＰＡ’と称する）方式を支援する移動通信システムに関し、特に、アップリンク圧縮モード（uplink compressed mode）を実行する場合において、ハイブリッド自動反復要求（Hybrid Automatic Repeat request；以下、‘ＨＡＲＱ’と称する）方式のデータ送信遅延を最小化する方法に関する。
【背景技術】
【０００２】
一般的に、ＨＳＤＰＡ方式は、次世代非同期式移動通信システムであるＵＭＴＳ（Universal Mobile Telecommunication System；以下、‘ＵＭＴＳ’と称する）通信システムにおいて、高速ダウンリンクパケットデータの送信を支援し、高速ダウンリンク共通チャンネル（high-speed downlink shared channel；ＨＳ−ＤＳＣＨ）、ＨＳ−ＤＳＣＨのための共通制御チャンネル（Shared Control Channel；以下、‘ＨＳ−ＳＣＣＨ’と称する）、及びＨＳ−ＤＳＣＨのためのアップリンク専用物理制御チャンネル（Uplink Dedicated Physical Control Channel；以下、‘ＨＳ−ＤＰＣＣＨ’と称する）を支援することを意味する。そして、ＵＭＴＳ通信システムは、圧縮モードを支援する。
ＨＳＤＰＡを支援するためには、適応変調符号化方式（Adaptive Modulation and Coding；以下、‘ＡＭＣ’と称する）及びＨＡＲＱ方式が提案された。ＨＳＤＰＡ方式に適用されたＡＭＣ及びＨＡＲＱ方式について、さらに詳細に説明する。
【０００３】
１．ＡＭＣ方式
ＡＭＣ方式は、基地局（以下、‘Ｎｏｄｅ Ｂ’と称する）と端末機（User Equipment；以下、‘ＵＥ’と称する）との間のチャンネル状態に従って、変調方式及び符号化方式を適応的に決定し、これによって、Ｎｏｄｅ Ｂの全体のシステム効率を向上させる。従って、ＡＭＣ方式は、複数の変調方式及び複数の符号化方式を構成し、上記変調方式及び符号化方式の組合せでデータチャンネル信号の変調及び符号化を遂行する。一般に、上記変調方式と符号化方式との組合せの各々を“変調及び符号化方式（Modulation and Coding Scheme；以下、‘ＭＣＳ’と称する）と称し、ＭＣＳの数に従ってレベル１からレベルｎまで複数個のＭＣＳを定義することができる。すなわち、ＡＭＣ方式は、Ｎｏｄｅ ＢとＮｏｄｅ Ｂに現在接続されているＵＥとの間のチャンネル状態に従って、ＭＣＳのレベルを適応的に決定し、これによって、Ｎｏｄｅ Ｂの全体のシステム効率を向上させる。
【０００４】
２．ＨＡＲＱ方式（多チャンネル停止―待機ハイブリッド自動再伝送方式）（n-channel Stop And Wait Hybrid Automatic Retransmission reQuest；以下、‘n-channel SAW HARQ’と称する）を説明する。
【０００５】
ＨＡＲＱ方式は、ＡＲＱ（Automatic Retransmission reQuest）方式の伝送効率を増加させるために、下記のような２種類の方案を導入した。１番目の方案は、ＨＡＲＱは、ＵＥとＮｏｄｅ Ｂとの間での再伝送要求及び応答のやり取りを遂行するものであり、２番目の方案は、エラーが発生したデータを一時的に貯蔵した後に、該当データの再伝送データと結合（Combining）するものである。
【０００６】
また、ＨＡＲＱ方式は、従来の停止―待機自動再伝送(Stop And Wait ARQ；ＳＡＷ ＡＲＱ)方式の短所を補完するために、上記n-channel SAW HARQ方式を導入した。ＳＡＷ ＡＲＱ方式は、以前のパケットデータに対するＡＣＫ（acknowledgement）を受信する前には、次のパケットデータを送信することができない。
【０００７】
従って、場合によっては、ＳＡＷ ＨＡＲＱ方式は、パケットデータを現在送信することができるとしても、ＡＣＫを待機しなければならない。しなしながら、n-channel SAW HARQ方式は、以前のパケットデータに対するＡＣＫを受信する前にも、複数のパケットデータを連続的に伝送し、これによって、チャンネルの使用効率を高めることができる。
【０００８】
すなわち、ＵＥとＮｏｄｅ Ｂとの間にｎ個の論理チャンネル（Logical Channel）を設定し、特定の時間及びチャンネル番号によって上記ｎ個の論理チャンネルの各々が識別可能である場合、パケットデータを受信するＵＥは、上記受信されたパケットデータがどんなチャンネルを介して伝送されたかを判断することができ、受信されるべき順序でパケットデータを再構成するか、又は、該当パケットデータのソフトコンバイニング（soft combining）を行う。
【０００９】
ＨＳＤＰＡにおいて、ＵＥは、Ｎｏｄｅ Ｂが送信したデータにエラーがあるか否かを確認し、その確認の結果として、肯定信号（Acknowledgement；以下、“ＡＣＫ”と称する）又は否定信号（Negative Acknowledgement；以下、“ＮＡＣＫ”と称する）をＨＳＤＰＡを支援するためのＨＳ−ＤＰＣＣＨを介して送信する。送信したデータにエラーがあるか否かを指示する情報をＡＣＫ／ＮＡＣＫで示す。また、ＡＭＣを支援するために、ＵＥは、Ｎｏｄｅ Ｂにチャンネル品質を報告する情報を伝送することができる。ダウンリンクチャンネル品質情報をチャンネル品質指示子（Channel Quality Indicator；以下、‘ＣＱＩ’と称する）で示す。
【００１０】
次に、非同期圧縮モードについて説明する。上記圧縮モードは、ＵＥが周波数間のハンドオーバー（inter-frequency handover）又は無線接続技術間のハンドオーバー（inter-radio access technology handover）を遂行するために、他の通信網の監視(monitoring)及び測定(measurement)を行うための余裕時間(timing gap)を提供するように命令を受けることを意味する。
【００１１】
ＵＥがハンドオーバーを遂行する一般的な過程は、下記の通りである。まず、ＵＥは、受信可能なセルから第１の共通パイロットチャンネル（Primary Common Pilot Channel；以下、‘Ｐ−ＣＰＩＣＨ’と称する）信号を受信し、この受信されたＰ−ＣＰＩＣＨ信号の受信電界強度（Received Signal Strength Indicator；ＲＳＳＩ）を測定する。そして、ＵＥは、上記測定されたＰ−ＣＰＩＣＨ信号のＲＳＳＩを無線ネットワーク制御器（Radio Network Controller；以下、‘ＲＮＣ’と称する）に報告する。そうすると、ＲＮＣは、ＵＥから報告されたＰ−ＣＰＩＣＨ信号のＲＳＳＩに基づいて、ＵＥのハンドオーバー状態を確認する。すなわち、ＲＮＣは、ＵＥがハンドオーバーを遂行すべきであるか否かを確認するステップ（１）と、ＵＥがハンドオーバーを遂行すべき場合、上記セルのうちのターゲットセルにハンドオーバーを遂行すべきであるか否かを選択するステップ（２）とを含む。従って、上記ハンドオーバーを遂行するために、ＵＥは、ＵＥに対する隣接セルのＰ−ＣＰＩＣＨ信号を測定する過程を必須的に要求する。
【００１２】
上記圧縮モードでは、ＡＣＫ／ＮＡＣＫ又はＣＱＩ情報をＮｏｄｅ Ｂへ送信するＨＳ−ＤＰＣＣＨの一部分が、アップリンク専用物理チャンネル（Uplink Dedicated Physical Channel；以下、‘ＤＰＣＨ’と称する）の送信断絶（transmission gap；以下、‘ＴＧ’と称する）区間に該当するスロットと重なる場合、ＵＥは、ＨＳ−ＤＰＣＣＨの該当サブフレーム（sub-frame）を介してＡＣＫ／ＮＡＣＫ又はＣＱＩを送信することができない。
【００１３】
図１は、圧縮モードで送信断絶区間によってアップリンク制御情報を送信することができない場合、アップリンク専用物理チャンネルとダウンリンクチャンネルとの従来の時間関係を示す図である。
【００１４】
図１を参照すると、アップリンク専用物理チャンネル（Uplink Dedicated Physical Channel；以下、“ＵＬ＿ＤＰＣＨ”と称する）１２０は、基本的に１０ｍｓのフレーム構造を有する。各フレームは、１５個のスロットから構成され、各スロットは、２５６０チップの長さを有する。従って、１つのフレームは、３８４００チップの長さを有する。
【００１５】
高速ダウンリンク物理共有チャンネル（High Speed Physical Downlink Shared Channel；以下、“ＨＳ−ＰＤＳＣＨ”と称する）は、Ｎｏｄｅ Ｂ（図示せず）がＵＥへ送信するＨＳＤＰＡパケットデータが送信されるチャンネルである。従って、Ｎｏｄｅ Ｂは、高速パケットデータが送信されなければならないＨＳ−ＰＤＳＣに拡散率（Spreading Factor；以下、“ＳＦ”と称する）が相当に低い直交可変拡散率（Orthogonal Variable Spreading Factor；以下、“ＯＶＳＦ”と称する）コードを割り当てる。例えば、ＨＳ−ＰＤＳＣＨにＳＦが１６であるＯＶＳＦコードを割り当てることができる。
【００１６】
一方、ＨＳ−ＰＤＳＣＨを制御するための制御情報は、高速共有制御チャンネル（High Speed Shared Control Channel；以下、“ＨＳ−ＳＣＣＨ”と称する)を介して送信される。ＨＳ−ＳＣＣＨを介して送信されるＨＳ−ＰＤＳＣＨ制御情報には、下記のような情報が存在する。
【００１７】
（１）伝送フォーマット及び資源関連情報（Transport Format and Resource related Information；以下、“ＴＦＲＩ”と称する）は、ＨＳ−ＰＤＳＣＨで使用されるＭＣＳレベル、ＨＳ−ＰＤＳＣＨのチャンネル化コード情報、伝送ブロックセットのサイズ、及び送信チャンネルの識別子を示す。
【００１８】
（２）ＨＡＲＱ情報
（ａ）  ＨＡＲＱプロセス番号は、n-channel SAW HARQを使用する場合、ＨＡＲＱのためのｎ個の論理チャンネルのうち、パケットデータが属する特定のチャンネルを示す。
【００１９】
（ｂ）  反復バージョンは、Ｎｏｄｅ ＢがＨＳＤＰＡパケットデータをＵＥへ送信する度に選択的な部分を送信する。従って、ＵＥは、ＨＳＤＰＡパケットデータのどんな部分が送信されたかを確認するためには、上記反復バージョンを知らなければならない。
【００２０】
（ｃ）  新たなデータ指示子は、Ｎｏｄｅ ＢがＵＥへ送信したＨＳＤＰＡパケットデータが新たなパケットデータであるか、又は再伝送されたパケットデータであるかを示す。
【００２１】
上述したように、ＨＳ−ＳＣＣＨは、ＴＦＲＩ部分とＨＡＲＱ情報部分とに大別されることができる。ＴＦＲＩ情報は、ＨＳＤＰＡパケットデータが送信されたＨＳ−ＰＤＳＣＨを逆拡散するのに必要な情報である。すなわち、ＵＥがＴＦＲＩ情報を有しない場合、ＨＳ−ＰＤＳＣＨを逆拡散することができない。従って、ＴＦＲＩ情報は、ＨＳ−ＳＣＣＨの最初部分へ送信し、ＨＡＲＱ情報をＨＳ−ＳＣＣＨの最後部分へ送信する。
【００２２】
一方、ＨＳ−ＳＣＣＨは、１つ又はそれ以上のチャンネル化コードが割り当てられることができる。このとき、各ＵＥに割り当て得るＨＳ−ＳＣＣＨの数が最大４つまで可能である。従って、Ｎｏｄｅ Ｂは、上記４個のＨＳ−ＳＣＣＨのうちのどんなＨＳ−ＳＣＣＨが割り当てられたかをＵＥに通知しなければならない。このための方法で、Ｎｏｄｅ Ｂは、ＨＳ−ＳＣＣＨの最初部分であるＴＦＲＩ情報部分をＵＥ識別子(Identity；以下、“ＩＤ”と称する)を用いてスクランブリングを遂行する。ＵＥＩＤは、Ｎｏｄｅ Ｂが各ＵＥを識別するために割り当てられた識別子である。そうすると、ＵＥは、受信したＨＳ−ＳＣＣＨのＴＦＲＩ情報部分をＵＥ ＩＤを用いてデスクランブリングすることによって、自分に割り当てられたＨＳ−ＳＣＣＨを判断することができる。
【００２３】
ＨＳＤＰＡで、ＵＥがＮｏｄｅ Ｂから送信されたデータにエラーがあるか否かを確認し、その結果として、ＡＣＫまたはＮＡＣＫを、ＨＳ−ＤＰＣＣＨを介して送信する。また、ＡＭＣを支援するために、ＵＥは、チャンネル品質報告情報をＮｏｄｅ Ｂへ送信することができる。上記チャンネル品質報告情報は、ダウンリンクチャンネル品質情報（Channel Quality Indicator；以下、“ＣＱＩ情報”と称する）と呼ばれる。ＨＳ−ＰＤＳＣＨでＴＧ区間との重なりが始まるサブフレームをｎ番目のサブフレームである場合、（ｎ−２）番目及び（ｎ−１）番目のサブフレームに該当するＡＣＫを送信することができない。すなわち、ＵＬ−ＤＰＣＨのＴＧ区間と重なるサブフレーム区間で、ＵＥは、ＨＳ−ＰＤＳＣＨの０番目のサブフレーム及び１番目のサブフレームを通して送信されたパケットデータに該当するＡＣＫ１４３及び１４４をＨＳ−ＤＰＣＣＨを介して送信することができない。すなわち、ＵＥは、０番目のサブフレーム及び１番目のサブフレームに相当するＡＣＫ信号をＨＳ−ＤＰＣＣＨの２つの部分１６１及び１６２でＮｏｄｅ Ｂへ送信することができない。Ｎｏｄｅ Ｂは、ＨＳ−ＤＰＣＣＨからＡＣＫを受信することができないので、該当ＨＳ−ＰＤＳＣＨを再伝送する。これによって、パケットデータの送信遅延を発生させる。
【００２４】
従って、ＨＳＤＰＡ方式を支援する移動通信システムの圧縮モードで、Ｎｏｄｅ ＢがＡＣＫの受信失敗によって発生する送信遅延を最小化させ得る方法を必要とする。
【発明の開示】
【発明が解決しようとする課題】
【００２５】
上記背景に鑑みて、本発明の目的は、アップリンク圧縮モードを考慮してＡＣＫ／ＮＡＣＫ信号を送信する方法を提供することにある。
【００２６】
本発明の他の目的は、アップリンク圧縮モードで、ＴＧ区間にアップリンクを通して送信されることができないＡＣＫ／ＮＡＣＫ情報を回復区間の間に送信することによって、不必要なパケットデータの再伝送を防止する方法を提供することにある。
【００２７】
本発明のさらなる目的は、アップリンク圧縮モードで、ＴＧ区間に発生するが、伝送され得ないＡＣＫ／ＮＡＣＫ信号をＴＧ区間の終了後、ＵＥからＮｏｄｅ Ｂへ送信する方法を提供することにある。
【００２８】
本発明のもう一つの目的は、ハンドオーバーによるアップリンクにＴＧ区間が存在する場合、以前に伝送されたパケットデータに対するＡＣＫ／ＮＡＣＫの送信遅延を防止する方法を提供することにある。
【００２９】
本発明のさらに他の目的は、アップリンク圧縮モードで、ＴＧ区間の終了後に送信されるＡＣＫ／ＮＡＣＫ信号をＴＧ区間が終了した次のサブフレームのＣＱＩフィールドに付加する方法とＮｏｄｅ ＢがＴＧ区間で受信されるＡＣＫ／ＮＡＣＫ信号をＴＧ区間の後に受信するようにする方法とを提供することにある。
【００３０】
本発明のそれ以上の他の目的は、アップリンクの１つのサブフレームに該当するＴＧ区間に発生可能な最大５個のＡＣＫ／ＮＡＣＫ情報を送信するために、ＡＣＫ／ＮＡＣＫ信号を１０回反復して送信することを５回反復して送信するようにし、これに対する補償のために伝送パワーを高める方法を提供することにある。
【課題を解決するための手段】
【００３１】
上記のような目的を達成するために、移動通信システムにおいて、端末機（ＵＥ）が基地局（Ｎｏｄｅ Ｂ）と隣接するＮｏｄｅ Ｂを通してハンドオーバーを遂行する場合に発生する送信断絶（ＴＧ）区間によって、アップリンクを介して送信されたパケットデータの送信遅延を防止する方法を提供する。Ｎｏｄｅ Ｂは、複数のサブフレームを介して上記パケットデータをＵＥへ順次に送信し、ＵＥは、上記ＴＧ区間の間に前記送信遅延したパケットデータに対する応答信号を前記ＴＧ区間の後にアップリンク専用物理制御チャンネル（ＤＰＣＣＨ）のサブフレームを介してＮｏｄｅ Ｂへ送信する。
【発明の効果】
【００３２】
本発明は、ＨＳＤＰＡ通信システムにおいて、圧縮モードが実行されるときに、アップリンクチャンネルのＴＧ区間の間に送信されることができなかったＡＣＫ／ＮＡＣＫ信号を別途のチャンネルを付加せず、ＴＧ区間の後に位置したサブフレームを通して送信する。また、ＴＧ区間の後のサブフレームを通してＡＣＫ／ＮＡＣＫ信号を送信することによって、再伝送によって発生するデータ送信遅延を最小化し、これによって、移動通信システムの全体の性能を向上させ得る、という長所がある。
【発明を実施するための最良の形態】
【００３３】
以下、本発明による好適な一実施形態について添付した図面を参照しつつ詳細に説明する。下記の説明において、本発明の要旨のみを明瞭にする目的で、関連した公知の機能又は構成に関する具体的な説明は省略する。
【００３４】
本発明は、上記パケットデータの送信劣化を防止するために、上記圧縮モードでのＴＧ（Transmission Gap）区間の間に伝送することができなかったＡＣＫ／ＮＡＣＫを非ＴＧ区間に挿入する方式を提供する。
【００３５】
すなわち、本発明は、ＴＧ区間の後に隣接するサブフレームを回復区間（recovery period）として定義した後、上記ＴＧ区間の間に送信されることができなかったＡＣＫ／ＮＡＣＫ信号を送信し、回復区間の間に不必要な再伝送を防止することによって、パケットデータの送信率を改善することができる。上記回復区間で遂行された動作については、さらに詳細に説明される。
【００３６】
図２は、本発明の実施形態によるＴＧ区間の後に位置したサブフレームを用いて制御情報を送信する方法を示す図である。図２を参照すると、ＨＳ−ＰＤＣＣＨ２４０を介して送信されるＨＳ−ＰＤＳＣＨ２３０の０番目のサブフレーム２３１、１番目のサブフレーム２３２、及び２番目のサブフレーム２３３に対するＡＣＫ又はＮＡＣＫ情報の送信時点がＴＧ区間２１４と重なる。従って、本発明は、ＴＧ区間２１４の終了後に送信される１番目のサブフレーム２３２を回復区間２４４として定義し、ＨＳ−ＰＤＳＣＨ２３０の０番目のサブフレーム２３１、１番目のサブフレーム２３２、及び２番目のサブフレーム２３３に対するＡＣＫ又はＮＡＣＫ情報を回復区間２４４を通して送信する。
【００３７】
ここで、ＨＳ−ＤＰＣＣＨ２４０で、回復区間２４４は、ＴＧ区間の後の１番目又は所定の区間を既存のチャンネルフォーマットとは異なる特別な用途として使用される。
【００３８】
本発明は、ＴＧ区間２１４と重なって送信されることができなかったＨＳ−ＰＤＳＣＨ２３０の０番目のサブフレーム２３１、１番目のサブフレーム２３２、及び２番目のサブフレーム２３３に対するＡＣＫ又はＮＡＣＫ情報を回復区間２４４を介して送信する。
【００３９】
従って、ＴＧ区間の間に以前に送信されたＨＳ−ＰＤＳＣＨ２３０のサブフレームに対するＡＣＫ／ＮＡＣＫ情報（又は応答情報）を受信したＮｏｄｅ Ｂ（図示せず）は、最小の遅延時間の内に、パケットデータ２３１、２３２、及び２３３に対するＡＣＫ／ＮＡＣＫ情報を受信することができる。このように、ＨＳ−ＰＤＳＣＨパケットデータ２３１、２３２、及び２３３に対する不必要な再伝送を防止することができる。
【００４０】
ここで、パケットの再伝送の間、ＨＳ−ＤＰＣＣＨ２４０は、２ｍｓのサブフレームを使用してＡＣＫ／ＮＡＣＫを送信し、上記サブフレームは、３つのスロットから構成される。上記３つのスロットのうち、１番目のスロットは、送信されたパケットデータが受信されるか否かを示すＡＣＫ／ＮＡＣＫ情報を送信するフィールドを含み、２番目及び３番目のスロットは、ＣＱＩ情報を送信するフィールドを含む。
【００４１】
本発明は、ＴＧ区間の後の任意のサブフレームを回復区間として定義し、ＴＧ区間によって送信遅延したＡＣＫ／ＮＡＣＫを上記回復区間を通して送信する。このとき、ＴＧ区間で送信され得ないＡＣＫ／ＮＡＣＫ信号の個数は、最大Ｎ個である一方、上記サブフレームは、１つのＡＣＫ／ＮＡＣＫ信号のための１つのスロットとＣＱＩのための２つのスロットとを含む。
【００４２】
従って、本発明は、ＡＣＫ／ＮＡＣＫ情報の送信に際して、ＴＧ区間の後に、幾つのＡＣＫ／ＮＡＣＫ信号を送信するためには、基本的な１０ビットの反復符号化方式を用いる代わりに、１０ビットよりも低い反復符号化方式を使用する時点で、さらに多いパケットに対するＡＣＫ／ＮＡＣＫ情報を送信する方法を構成する。本発明は、ＡＣＫ／ＮＡＣＫ代表値を送信するための方法及びＡＣＫ／ＮＡＣＫ情報を送信するＣＱＩフィールドを使用する方法をさらに構成する。このとき、符号化率の減少による信頼性の低下は、送信パワーを高めることによって補償されることができる。
上述した説明に従って、本発明の実施形態について、さらに詳細に下述される。
【００４３】
＜第１の実施形態＞
図３は、本発明の第１の実施形態によるＡＣＫ／ＮＡＣＫ情報の代表値を送信する方法を示す図である。
【００４４】
図３を参照すると、Ｎｏｄｅ Ｂ（図示せず）からＨＳ−ＰＤＳＣＨ３３０を通してパケットデータを受信したＵＥ（図示せず）は、上記受信されたパケットデータに対するＡＣＫ／ＮＡＣＫ情報を送信する。このとき、圧縮モードを支援するＵＥは、ＴＧ区間３１４の間に、該当時点でＡＣＫ／ＮＡＣＫを送信することができない。
【００４５】
この場合、ＵＥは、ＴＧ区間３１４の後の使用可能なサブフレーム３４４を通して、ＴＧ区間３１４の間に送信され得なかったＡＣＫ／ＮＡＣＫを送信する。すなわち、ＵＥは、ＴＧ区間３１４の後のサブフレーム３４４をＴＧ区間３１４の間に送信されることができなかったＡＣＫ／ＮＡＣＫの回復区間３４４として使用する。
【００４６】
回復区間３４４で送信されたＡＣＫ／ＮＡＣＫ値は、０番目のサブフレーム、１番目のサブフレーム、及び２番目のサブフレームに対するＡＣＫ／ＮＡＣＫ信号３３１、３３２、及び３３３を示すＡＲで示される。上記代表値ＡＲは、ＵＥによって決定されることができる。
【００４７】
例えば、上記代表値ＡＲが総Ｎ個のＡＣＫ／ＮＡＣＫ信号を示すと仮定して、Ｎ個のＡＣＫ／ＮＡＣＫ信号がすべてＡＣＫ信号である場合、上記代表値ＡＲは、ＡＣＫに設定されて送信される。しかしながら、ＮＡＣＫ信号がＡＣＫ信号よりも多い場合、上記代表値ＡＲは、ＮＡＣＫに設定されて送信される。
【００４８】
すなわち、再伝送効率を高めるために、上記ＡＣＫ／ＮＡＣＫ代表値は、すべてのＡＣＫ／ＮＡＣＫ信号が相互に同一であるとしても、ＡＣＫ又はＮＡＣＫに設定されて送信されることができる。
上記代表値ＡＲは、下記式１及び式２を使用して設定されることができる。
【００４９】
ＡＲ＝ＡＣＫ           ・・・（１）
【００５０】
ここで、ＡＣＫの番号は、Ｔよりも大きい。一方、
【００５１】
ＡＲ＝ＮＡＣＫ         ・・・（２）
【００５２】
すなわち、ＴＧ区間の間のＡＣＫ／ＮＡＣＫ情報を分析して上記代表値ＡＲを設定する。ここで、Ｔは、しきい値を示し、０よりも大きい。上記しきい値Ｔは、ＡＣＫ対ＮＡＣＫの比率に従って決定されることができる。
【００５３】
上述したように、本発明は、既存のＨＳ−ＤＰＣＣＨサブフレームのフォーマットを変更せず、第１のスロットのＡＣＫ／ＮＡＣＫフィールドを用いて、ＴＧ区間の間に伝送されなかったＡＣＫ／ＮＡＣＫ信号の代表値を送信する。このようにして、既存のシステムのＴＧ区間の間に送信されないＨＳ−ＰＤＳＣＨ、又はすでに受信されたエラーのないＨＳ−ＰＤＳＣＨパケットに対する不必要な再伝送を防止することができる。
【００５４】
＜第２の実施形態＞
図４は、本発明の第２の実施形態によるＡＣＫ／ＮＡＣＫフィールドを通してＮ個のＡＣＫ／ＮＡＣＫ信号を送信する方法を示す図である。
【００５５】
図４を参照すると、本発明の第２の実施形態は、０番目のサブフレーム、１番目のサブフレーム、及び２番目のサブフレームに対するＡＣＫ／ＮＡＣＫ信号４３１、４３２、及び４３３を回復区間４４４のＡＣＫ／ＮＡＣＫフィールドに順次に割り当てて送信する。すなわち、本発明の第２の実施形態は、２番目のサブフレームに対するＨＳ−ＤＰＣＣＨ４４０のＡＣＫ／ＮＡＣＫフィールド４４４を回復区間４４４として定義する。その後、ＵＥ（図示せず）は、ＨＳ−ＤＰＣＣＨ４４０のＡＣＫ／ＮＡＣＫフィールド４４４に対して（１０，１）反復符号よりも低い（Ｎ，１）反復符号を遂行し、複数のＡＣＫ／ＮＡＣＫ信号を順次に送信する。ここで、Ｎは、１よりも大きい整数である。
【００５６】
このとき、ＵＥは、ＡＣＫ／ＮＡＣＫフィールド４４４の符号化率の減少によって発生可能な符号化性能の劣化を補償するために、送信電力を増加することができる。このとき、回復区間４４４での送信パワーに対する制御は、チャンネル状態にさらに依存されることがある。
【００５７】
＜第３の実施形態＞
図５は、本発明の第３の実施形態によるＣＱＩフィールドを用いて送信遅延したＡＣＫ／ＮＡＣＫ情報を送信する方法を示す図である。
【００５８】
図５を参照すると、ＡＣＫ／ＮＡＣＫフィールドを通してＨＳ−ＰＤＳＣＨ５３０の２番目のサブフレームに対するＡＣＫ／ＮＡＣＫを既存の符号化方式を使用して送信し、ＣＱＩフィールドを通してＴＧ区間５１４の間に送信され得なかったＨＳ−ＰＤＳＣＨの０番目のサブフレーム及び１番目のサブフレームに対するＡＣＫ又はＮＡＣＫ信号５３１及び５３２を既存の符号化方式よりも符号化率が大きいか、又は、小さい符号化方式を適用して送信する。すなわち、ＵＥ（図示せず）は、ＴＧ区間５１４が終わったＨＳ−ＤＰＣＣＨの１番目のサブフレームのＣＱＩフィールド５４４を通して、上記０番目のサブフレーム及び１番目のサブフレームに対する該当ＡＣＫ／ＮＡＣＫ信号５３１及び５３２を送信する。このとき、ＵＥは、ＨＳ−ＰＤＳＣＨ５３０の２番目のサブフレーム５３３に対する該当ＡＣＫ／ＮＡＣＫ情報５６３をもとの応答区間であるＡＣＫ／ＮＡＣＫフィールド５６３を通して、（１０，１）反復符号化方式を使用して送信し、上記０番目のサブフレーム及び１番目のサブフレームに対する該当ＡＣＫ／ＮＡＣＫ信号５３１及び５３２を（１０，１）反復符号化方式よりも小さい符号化率を有する符号化方式を用いて送信する。このとき、ＣＱＩフィールドの残りの部分は、不連続送信（Discontinuous Transmission；ＤＴＸ）処理を遂行する。しかしながら、上記ＣＱＩフィールドを通して伝送されるべきＡＣＫ／ＮＡＣＫ信号の個数が２個未満である場合、（１０、１）反復符号化方式より大きい符号化率を有する符号化方式を使用することができる。すなわち、符号化方式は、ＡＣＫ／ＮＡＣＫ信号の個数に従って選択されなければならない。
【００５９】
＜第４の実施形態＞
図６は、本発明の第４の実施形態によるＣＱＩフィールドの固定された比率 でＡＣＫ／ＮＡＣＫ情報を送信する方法を示す図である。図６において、上記固定された比率がＣＱＩフィールドの全体に該当すると仮定する。
【００６０】
図６を参照すると、ＣＱＩフィールドを通して送信されるべきＡＣＫ／ＮＡＣＫ信号の個数が２個である場合、ＵＥ（図示せず）は、既存の符号化方式を使用して、ＡＣＫ／ＮＡＣＫフィールドを通してＨＳ−ＰＤＳＣＨ６３０の２番目のサブフレームに対するＡＣＫ／ＮＡＣＫ信号を送信し、既存の符号化方式を使用して、ＣＱＩフィールドを通してＴＧ区間６１４の間に送信され得ないＨＳ−ＰＤＳＣＨ６３０の０番目のサブフレーム及び１番目のサブフレームに対するＡＣＫ又はＮＡＣＫ信号６３１及び６３２を送信する。ここで、符号化方式は、ＣＱＩフィールドの固定された比率及びＡＣＫ／ＮＡＣＫ信号の個数に従って選択されなければならない。
【００６１】
＜第５の実施形態＞
図７は、本発明の第５の実施形態によるＡＣＫ／ＮＡＣＫフィールドとＣＱＩフィールドを用いて送信遅延したＡＣＫ／ＮＡＣＫ情報を送信する方法を示す図である。
【００６２】
図７を参照すると、ＵＥ（図示せず）は、既存の符号化率を保持しつつ、ＴＧ区間７１４の後のサブフレームの全体を回復区間７４４として定義し、回復区間７４４に対する送信遅延したＡＣＫ／ＮＡＣＫ信号を送信する。すなわち、ＵＥは、回復区間７４４の間に伝送されるべきＡＣＫ／ＮＡＣＫ信号をＡＣＫ／ＮＡＣＫフィールド及びＣＱＩフィールドに区分せず送信する。
【００６３】
回復区間７４４の間に、ＵＥは、ＴＧ区間７１４の間に送信されることができなかったＡＣＫ／ＮＡＣＫ信号７３１及び７３２をまず送信した後、回復区間７４４の間に伝送されるべきＡＣＫ／ＮＡＣＫ信号７３３を送信する。このとき、ＵＥは、ＨＳ−ＤＰＣＣＨのサブフレームの全体を回復区間７４４として定義し、回復区間７４４の間、ＴＧ区間７１４の間に送信されることができなかったＡＣＫ／ＮＡＣＫ信号を送信する。すなわち、ＵＥは、ＡＣＫ／ＮＡＣＫ情報を固定されたビット数だけ符号化し、上記符号化されたＡＣＫ／ＮＡＣＫ情報を所定のフィールド７３１、７３２、及び７３３を通して送信し、残りの部分は、ＤＴＸ処理を遂行する。このとき、回復区間７４４を通して送信されるべきＡＣＫ／ＮＡＣＫ信号の個数が３個より小さい場合、ＡＣＫ／ＮＡＣＫ信号のための符号化方式は、既存の符号化方式よりも符号化率が大きく設定されなければならない。回復区間７４４の間に送信されるべきＡＣＫ／ＮＡＣＫ信号の個数が３個より大きい場合、ＡＣＫ／ＮＡＣＫ信号のための符号化方式は、既存の符号化方式よりも符号化率が小さく設定されなければならない。しかしながら、ＣＱＩフィールドを通して伝送されるべきＡＣＫ／ＮＡＣＫ信号の個数が２個である場合、既存の符号化方式を使用することができる。すなわち、上記符号化方式は、ＡＣＫ／ＮＡＣＫ信号の個数に従って選択されなければならない。
【００６４】
＜第６の実施形態＞
図８は、本発明の第６の実施形態によるＡＣＫ／ＮＡＣＫフィールドとＣＱＩフィールドの固定された比率でＡＣＫ／ＮＡＣＫ情報を送信する方法を示す図である。
【００６５】
図８を参照すると、図７に関連して説明したように、ＵＥ（図示せず）は、ＡＣＫ／ＮＡＣＫ信号８３１、８３２、及び８３３の個数に従って回復区間である全体のサブフレーム８４４を適切に符号化して送信する。既存の符号化率を保持する場合、回復区間８４４は、１つのサブフレーム又は幾つのサブフレームを有することができる。
【００６６】
ここで、回復区間８４４は、ＴＧ区間８１４の長さに比例して設定されることもでき、又は、ＴＧ区間８１４の間のＡＣＫ／ＮＡＣＫ信号のうちの一部は、回復区間８４４の長さを調整することによって、ＤＴＸ処理が遂行される。例えば、ＴＧ区間の長さが４個のＡＣＫ／ＮＡＣＫ信号を補償しなければならないほどで設定される場合、２個のサブフレームを通して回復区間を用いることができる。
【００６７】
以上、本発明の詳細について具体的な実施の形態に基づき説明してきたが、本発明の範囲を逸脱することなく、各種の変形が可能なのは明らかである。従って、本発明の範囲は、上記実施の形態に限定されるものではなく、特許請求の範囲の記載及び該記載と均等なものにより定められるべきである。
【図面の簡単な説明】
【００６８】
【図１】従来技術による圧縮モードでのＴＧ区間によってアップリンク制御情報を送信し得ない場合のアップリンク専用物理チャンネルとダウンリンクチャンネルとの間のタイミング関係を示す図である。
【図２】本発明の実施形態による断絶区間の後で１番目のサブフレームにアップリンク制御情報を伝送する構造を示す図である。
【図３】本発明の第１の実施形態によるＡＣＫ／ＮＡＣＫフィールドを使用してＡＣＫ／ＮＡＣＫ情報の代表値を送信する方法を示す図である。
【図４】本発明の第２の実施形態によるＡＣＫ／ＮＡＣＫフィールドを使用して遅延したＮ個のＡＣＫ／ＮＡＣＫ信号を送信する方法を示す図である。
【図５】本発明の第３の実施形態によるＣＱＩフィールを使用して固定された比率でＡＣＫ／ＮＡＣＫ情報を送信する方法を示す図である。
【図６】本発明の第４の実施形態によるＣＱＩフィールドを使用してＡＣＫ／ＮＡＣＫ情報を送信する方法を示す図である。
【図７】本発明の第５の実施形態によるＡＣＫ／ＮＡＣＫフィールドとＣＱＩフィールドとを使用して固定された比率でＡＣＫ／ＮＡＣＫ情報を送信する方法を示す図である。
【図８】本発明の第６の実施形態によるＡＣＫ／ＮＡＣＫフィールド及びＣＱＩフィールドのすべてを使用してＡＣＫ／ＮＡＣＫ情報を送信する方法を示す図である。
【符号の説明】
【００６９】
２１４  ＴＧ区間
２３０  ＨＳ−ＰＤＳＣＨ
２３１〜２３５  サブフレーム
２４０  ＨＳ−ＰＤＣＣＨ
２４４  回復区間
【図１】
2005229628.tif 000003
【図２】
2005229628.tif 000004
【図３】
2005229628.tif 000005
【図４】
2005229628.tif 000006
【図５】
2005229628.tif 000007
【図６】
2005229628.tif 000008
【図７】
2005229628.tif 000009
【図８】
2005229628.tif 000010
【外国語明細書】
2005229628.tif 000011
2005229628.tif 000012
2005229628.tif 000013
2005229628.tif 000014
2005229628.tif 000015
2005229628.tif 000016
2005229628.tif 000017
2005229628.tif 000018
2005229628.tif 000019
2005229628.tif 000020
2005229628.tif 000021
2005229628.tif 000022
2005229628.tif 000023
2005229628.tif 000024
2005229628.tif 000025
2005229628.tif 000026
2005229628.tif 000027
2005229628.tif 000028
2005229628.tif 000029
2005229628.tif 000030
2005229628.tif 000031
2005229628.tif 000032
2005229628.tif 000033
2005229628.tif 000034
2005229628.tif 000035
2005229628.tif 000036
2005229628.tif 000037